(57)【要約】【課題】複数の経路を設定する自由度が低下することを防止しながら、高い精度にて回線品質を推定することが可能な光伝送システムを提供すること。【解決手段】光伝送システム１００は、複数の異なる波長のそれぞれにて光信号を送受信することにより、複数の光信号を同時に送受信可能に構成された複数の伝送装置１１０〜１５０を含む。伝送装置１２０は、伝送用波長にて受信した光信号を、伝送装置１３０及び伝送装置１４０のそれぞれへ送信する。光伝送システムは、一部が重複する複数の経路のそれぞれを経由させて、伝送装置１１０から伝送装置１５０へ伝送用波長にて光信号を伝送する。光伝送システムは、伝送装置１１０が送信した光信号と、伝送装置１５０が受信した光信号と、が一致している程度を表す回線品質を経路毎に推定する。【選択図】図６
2010219594.tif 000002
【特許請求の範囲】
【請求項１】
複数の異なる波長のそれぞれにて光信号を送受信することにより、複数の光信号を同時に送受信可能に構成された伝送装置を複数含み、
前記伝送装置は、ある波長にて受信した光信号を、当該波長にて送信するように構成され、
前記複数の伝送装置は、前記伝送装置としての伝送元装置と、前記伝送装置としての伝送先装置と、前記伝送装置としての分岐元装置と、前記伝送装置としての第１の分岐先装置と、前記伝送装置としての第２の分岐先装置と、を含み、
前記分岐元装置は、所定の伝送用波長にて受信した光信号を、前記第１の分岐先装置及び前記第２の分岐先装置のそれぞれへ送信するように構成され、
前記伝送元装置と前記分岐元装置とを結ぶ重複部、及び、当該分岐元装置と前記伝送先装置とを前記第１の分岐先装置を経由することにより結ぶ第１の分岐部からなる第１の経路と、当該重複部、及び、当該分岐元装置と当該伝送先装置とを前記第２の分岐先装置を経由することにより結ぶ第２の分岐部からなる第２の経路と、を含む複数の経路のそれぞれを経由させて、当該伝送元装置から当該伝送先装置へ前記伝送用波長にて光信号を伝送する光信号伝送手段と、
前記伝送元装置が送信した光信号と、前記伝送先装置が受信した光信号と、が一致している程度を表す回線品質を前記経路毎に推定する回線品質推定手段と、
を備える光伝送システム。
【請求項２】
請求項１に記載の光伝送システムであって、
前記推定された回線品質に基づいて、前記複数の経路の中から１つの経路を選択する経路選択手段を備え、
前記伝送先装置は、前記選択された経路を経由して伝送された光信号を、前記伝送元装置から受信した光信号として用いるように構成された光伝送システム。
【請求項３】
請求項２に記載の光伝送システムであって、
前記分岐元装置は、前記受信した光信号を分岐することにより当該受信した光信号と同一の複数の光信号を出力する分岐手段を備え、当該出力された複数の光信号の１つを前記第１の分岐先装置へ送信するとともに、当該出力された複数の光信号の他の１つを前記第２の分岐先装置へ送信するように構成された光伝送システム。
【請求項４】
請求項３に記載の光伝送システムであって、
前記分岐元装置は、前記分岐手段により出力された複数の光信号の１つを入力する第１のポートと、当該分岐手段により出力された複数の光信号の他の１つを入力する第２のポートと、前記第１の分岐先装置と接続された第３のポートと、前記第２の分岐先装置と接続された第４のポートと、を含む複数のポートを有し且つ当該複数のポートのうちの任意の２つのポートを接続可能に構成された接続切替手段を備える光伝送システム。
【請求項５】
請求項４に記載の光伝送システムであって、
前記接続切替手段は、クロスコネクト装置である光伝送システム。
【請求項６】
複数の異なる波長のそれぞれにて光信号を送受信することにより、複数の光信号を同時に送受信可能に構成された伝送装置を複数含む光伝送システムに適用され、
前記伝送装置は、ある波長にて受信した光信号を、当該波長にて送信するように構成され、
前記複数の伝送装置は、前記伝送装置としての伝送元装置と、前記伝送装置としての伝送先装置と、前記伝送装置としての分岐元装置と、前記伝送装置としての第１の分岐先装置と、前記伝送装置としての第２の分岐先装置と、を含み、
前記分岐元装置が、所定の伝送用波長にて受信した光信号を、前記第１の分岐先装置及び前記第２の分岐先装置のそれぞれへ送信する分岐送信工程を含む工程であって、前記伝送元装置と前記分岐元装置とを結ぶ重複部、及び、当該分岐元装置と前記伝送先装置とを前記第１の分岐先装置を経由することにより結ぶ第１の分岐部からなる第１の経路と、当該重複部、及び、当該分岐元装置と当該伝送先装置とを前記第２の分岐先装置を経由することにより結ぶ第２の分岐部からなる第２の経路と、を含む複数の経路のそれぞれを経由させて、当該伝送元装置から当該伝送先装置へ前記伝送用波長にて光信号を伝送する工程である光信号伝送工程と、
前記伝送元装置が送信した光信号と、前記伝送先装置が受信した光信号と、が一致している程度を表す回線品質を前記経路毎に推定する回線品質推定工程と、
を含む光伝送方法。
【請求項７】
請求項６に記載の光伝送方法であって、
前記推定された回線品質に基づいて、前記複数の経路の中から１つの経路を選択する経路選択工程と、
前記伝送先装置が、前記選択された経路を経由して伝送された光信号を、前記伝送元装置から受信した光信号として用いる選択光信号使用工程と、
を含む光伝送方法。
【請求項８】
請求項７に記載の光伝送方法であって、
前記分岐送信工程は、前記分岐元装置が、前記受信した光信号を分岐することにより当該受信した光信号と同一の複数の当該光信号を生成し、且つ、当該生成された複数の光信号の１つを前記第１の分岐先装置へ送信するとともに、当該生成された複数の光信号の他の１つを前記第２の分岐先装置へ送信するように構成された光伝送方法。
【請求項９】
複数の異なる波長のそれぞれにて光信号を送受信することにより、複数の光信号を同時に送受信可能に構成されるとともに、ある波長にて受信した光信号を、当該波長にて送信するように構成され、
所定の伝送用波長にて受信した光信号を、第１の分岐先装置及び第２の分岐先装置のそれぞれへ送信するように構成された伝送装置。
【請求項１０】
請求項９に記載の伝送装置であって、
前記受信した光信号を分岐することにより当該受信した光信号と同一の複数の当該光信号を出力する分岐手段を備え、当該出力された複数の光信号の１つを前記第１の分岐先装置へ送信するとともに、当該出力された複数の光信号の他の１つを前記第２の分岐先装置へ送信するように構成された伝送装置。
【請求項１１】
複数の異なる波長のそれぞれにて光信号を送受信することにより、複数の光信号を同時に送受信可能に構成されるとともに、ある波長にて受信した光信号を、当該波長にて送信するように構成された伝送装置に、
所定の伝送用波長にて受信した光信号を、第１の分岐先装置及び第２の分岐先装置のそれぞれへ送信する分岐送信手段を実現させるためのプログラム。
【請求項１２】
請求項１１に記載のプログラムであって、
前記分岐送信手段は、
前記受信した光信号を分岐することにより当該受信した光信号と同一の複数の当該光信号を生成し、且つ、当該生成された複数の光信号の１つを前記第１の分岐先装置へ送信するとともに、当該生成された複数の光信号の他の１つを前記第２の分岐先装置へ送信するように構成されたプログラム。
【発明の詳細な説明】
【技術分野】
【０００１】
本発明は、光信号を送受信する伝送装置を複数含むとともに、１つの伝送装置から他の伝送装置へ光信号を伝送する光伝送システムに関する。
【背景技術】
【０００２】
光信号を送受信する伝送装置を複数含むとともに、１つの伝送装置（伝送元装置）から他の１つの伝送装置（伝送先装置）へ、複数の伝送装置を経由させて光信号を伝送する光伝送システムが知られている。
【０００３】
この種の光伝送システムの一つとして、特許文献１に記載の光伝送システムにおいて、各伝送装置は、複数の異なる波長のそれぞれにて光信号を送受信することにより、複数の光信号を同時に送受信可能に構成される。即ち、この光伝送システムは、波長分割多重（ＷＤＭ；Ｗａｖｅｌｅｎｇｔｈ  Ｄｉｖｉｓｉｏｎ  Ｍｕｌｔｉｐｌｅｘｉｎｇ）方式を用いて光信号を伝送する。更に、各伝送装置は、１つの伝送装置から、ある波長にて受信した光信号を、他の１つの伝送装置へ当該波長にて送信する。
【先行技術文献】
【特許文献】
【０００４】
【特許文献１】特開平７−１４３０６２号公報
【発明の概要】
【発明が解決しようとする課題】
【０００５】
ところで、上記光伝送システムにおいて、伝送元装置から伝送先装置へ光信号を伝送するために使用している経路の回線品質が低下する場合がある。ここで、回線品質は、伝送元装置が送信した光信号と、伝送先装置が受信した光信号と、が一致している程度を表す値である。この場合、この経路を他の経路に変更することが好適である。
【０００６】
このため、伝送元装置及び伝送先装置を結ぶ複数の経路を設定するとともに、伝送先装置が各経路を経由して受信した光信号に基づいて経路毎の回線品質を推定し、推定した回線品質に基づいて、使用する経路を選択するように、上記光伝送システムを構成することが好適であると考えられる。
【０００７】
しかしながら、上記光伝送システムをこのように構成した場合、経路が互いに重複しないように上記複数の経路を設定しなければ、回線品質を推定するための光信号を、１つの波長にて、複数の経路のそれぞれを経由させて伝送することができない。即ち、この場合、複数の経路を設定する自由度が低いという問題があった。
【０００８】
一方、一部が重複する複数の経路を設定する場合、回線品質を推定するための光信号を、経路毎に異なる波長にて伝送しなければ、複数の経路のそれぞれを経由させて伝送することができない。ところで、伝送装置が光信号を伝送するために使用する波長が変化すると、伝送速度等の特性も変化することがある。従って、経路を変更する前後において、伝送元装置から伝送先装置へ光信号を伝送するために使用する波長を変更しないことが望ましい。
【０００９】
このため、一部が重複する複数の経路を設定するとともに、回線品質を推定するための光信号を、経路毎に異なる波長にて伝送するように光伝送システムを構成した場合、回線品質を推定するための光信号を伝送する際に使用した波長と、変更後の経路を経由させて光信号を伝送する際に使用する波長と、が相違してしまう。その結果、経路を変更する前に、高い精度にて回線品質を推定することができないという問題があった。また、この場合、伝送元装置及び伝送先装置と異なる２つの伝送装置間で光信号を伝送するために使用可能な波長の数が減少してしまうという問題もあった。
【００１０】
このように、上記光伝送システムにおいては、複数の経路を設定する自由度を低下させることなく、高い精度にて回線品質を推定することができないという問題があった。
【００１１】
このため、本発明の目的は、上述した課題である「複数の経路を設定する自由度を低下させることなく、高い精度にて回線品質を推定することができないこと」を解決することが可能な光伝送システムを提供することにある。
【課題を解決するための手段】
【００１２】
かかる目的を達成するため本発明の一形態である光伝送システムは、複数の異なる波長のそれぞれにて光信号を送受信することにより、複数の光信号を同時に送受信可能に構成された伝送装置を複数含む。
【００１３】
更に、上記伝送装置は、ある波長にて受信した光信号を、当該波長にて送信するように構成される。
また、上記複数の伝送装置は、上記伝送装置としての伝送元装置と、上記伝送装置としての伝送先装置と、上記伝送装置としての分岐元装置と、上記伝送装置としての第１の分岐先装置と、上記伝送装置としての第２の分岐先装置と、を含む。
【００１４】
加えて、上記分岐元装置は、所定の伝送用波長にて受信した光信号を、上記第１の分岐先装置及び上記第２の分岐先装置のそれぞれへ送信するように構成される。
【００１５】
更に、上記光伝送システムは、
上記伝送元装置と上記分岐元装置とを結ぶ重複部、及び、当該分岐元装置と上記伝送先装置とを上記第１の分岐先装置を経由することにより結ぶ第１の分岐部からなる第１の経路と、当該重複部、及び、当該分岐元装置と当該伝送先装置とを上記第２の分岐先装置を経由することにより結ぶ第２の分岐部からなる第２の経路と、を含む複数の経路のそれぞれを経由させて、当該伝送元装置から当該伝送先装置へ上記伝送用波長にて光信号を伝送する光信号伝送手段と、
上記伝送元装置が送信した光信号と、上記伝送先装置が受信した光信号と、が一致している程度を表す回線品質を上記経路毎に推定する回線品質推定手段と、
を備える。
【００１６】
また、本発明の他の形態である光伝送方法は、複数の異なる波長のそれぞれにて光信号を送受信することにより、複数の光信号を同時に送受信可能に構成された伝送装置を複数含む光伝送システムに適用される。
【００１７】
更に、上記伝送装置は、ある波長にて受信した光信号を、当該波長にて送信するように構成される。
また、上記複数の伝送装置は、上記伝送装置としての伝送元装置と、上記伝送装置としての伝送先装置と、上記伝送装置としての分岐元装置と、上記伝送装置としての第１の分岐先装置と、上記伝送装置としての第２の分岐先装置と、を含む。
【００１８】
加えて、上記光伝送方法は、
上記分岐元装置が、所定の伝送用波長にて受信した光信号を、上記第１の分岐先装置及び上記第２の分岐先装置のそれぞれへ送信する分岐送信工程を含む工程であって、上記伝送元装置と上記分岐元装置とを結ぶ重複部、及び、当該分岐元装置と上記伝送先装置とを上記第１の分岐先装置を経由することにより結ぶ第１の分岐部からなる第１の経路と、当該重複部、及び、当該分岐元装置と当該伝送先装置とを上記第２の分岐先装置を経由することにより結ぶ第２の分岐部からなる第２の経路と、を含む複数の経路のそれぞれを経由させて、当該伝送元装置から当該伝送先装置へ上記伝送用波長にて光信号を伝送する工程である光信号伝送工程と、
上記伝送元装置が送信した光信号と、上記伝送先装置が受信した光信号と、が一致している程度を表す回線品質を上記経路毎に推定する回線品質推定工程と、
を含む。
【００１９】
また、本発明の他の形態である伝送装置は、
複数の異なる波長のそれぞれにて光信号を送受信することにより、複数の光信号を同時に送受信可能に構成されるとともに、ある波長にて受信した光信号を、当該波長にて送信するように構成され、
所定の伝送用波長にて受信した光信号を、第１の分岐先装置及び第２の分岐先装置のそれぞれへ送信するように構成される。
【００２０】
また、本発明の他の形態であるプログラムは、
複数の異なる波長のそれぞれにて光信号を送受信することにより、複数の光信号を同時に送受信可能に構成されるとともに、ある波長にて受信した光信号を、当該波長にて送信するように構成された伝送装置に、
所定の伝送用波長にて受信した光信号を、第１の分岐先装置及び第２の分岐先装置のそれぞれへ送信する分岐送信手段を実現させるためのプログラムである。
【発明の効果】
【００２１】
本発明は、以上のように構成されることにより、複数の経路を設定する自由度が低下することを防止しながら、高い精度にて回線品質を推定することができる。
【図面の簡単な説明】
【００２２】
【図１】本発明の実施形態に係る光伝送システムの概略構成を表す図である。
【図２】図１に示した伝送元装置としての伝送装置の構成を表す図である。
【図３】図１に示した分岐元装置としての伝送装置の構成を表す図である。
【図４】図１に示した光伝送システムが光信号を伝送するための経路を概念的に示した説明図である。
【図５】図１に示した伝送先装置としての伝送装置の構成を表す図である。
【図６】本発明の実施形態の変形例に係る光伝送システムの概略構成を表す図である。
【図７】図６に示した光伝送システムの機能の概略を表すブロック図である。
【発明を実施するための形態】
【００２３】
本発明の一形態である光伝送システムは、複数の異なる波長のそれぞれにて光信号を送受信することにより、複数の光信号を同時に送受信可能に構成された伝送装置を複数含む。
【００２４】
更に、上記伝送装置は、ある波長にて受信した光信号を、当該波長にて送信するように構成される。
また、上記複数の伝送装置は、上記伝送装置としての伝送元装置と、上記伝送装置としての伝送先装置と、上記伝送装置としての分岐元装置と、上記伝送装置としての第１の分岐先装置と、上記伝送装置としての第２の分岐先装置と、を含む。
【００２５】
加えて、上記分岐元装置は、所定の伝送用波長にて受信した光信号を、上記第１の分岐先装置及び上記第２の分岐先装置のそれぞれへ送信するように構成される。
【００２６】
更に、上記光伝送システムは、
上記伝送元装置と上記分岐元装置とを結ぶ重複部、及び、当該分岐元装置と上記伝送先装置とを上記第１の分岐先装置を経由することにより結ぶ第１の分岐部からなる第１の経路と、当該重複部、及び、当該分岐元装置と当該伝送先装置とを上記第２の分岐先装置を経由することにより結ぶ第２の分岐部からなる第２の経路と、を含む複数の経路のそれぞれを経由させて、当該伝送元装置から当該伝送先装置へ上記伝送用波長にて光信号を伝送する光信号伝送手段と、
上記伝送元装置が送信した光信号と、上記伝送先装置が受信した光信号と、が一致している程度を表す回線品質を上記経路毎に推定する回線品質推定手段と、
を備える。
【００２７】
これによれば、一部が重複する複数の経路のそれぞれを経由させて伝送元装置から伝送先装置へ１つの波長（伝送用波長）にて光信号を伝送することができる。この結果、複数の経路を設定する自由度が低下することを防止しながら、高い精度にて回線品質を推定することができる。また、上記構成によれば、伝送元装置及び伝送先装置と異なる２つの伝送装置間で光信号を伝送するために使用可能な波長の数が減少することを防止することもできる。
【００２８】
この場合、上記光伝送システムは、
上記推定された回線品質に基づいて、上記複数の経路の中から１つの経路を選択する経路選択手段を備え、
上記伝送先装置は、上記選択された経路を経由して伝送された光信号を、上記伝送元装置から受信した光信号として用いるように構成されることが好適である。
【００２９】
これによれば、伝送先装置は、適切に選択された経路を経由して伝送された光信号を、伝送元装置から受信した光信号として用いることができる。この結果、伝送元装置から伝送先装置へ確実に情報を伝達することができる。
【００３０】
この場合、上記分岐元装置は、上記受信した光信号を分岐することにより当該受信した光信号と同一の複数の光信号を出力する分岐手段を備え、当該出力された複数の光信号の１つを上記第１の分岐先装置へ送信するとともに、当該出力された複数の光信号の他の１つを上記第２の分岐先装置へ送信するように構成されることが好適である。
【００３１】
これによれば、分岐元装置が第１の分岐先装置及び第２の分岐先装置のそれぞれへ光信号を送信する機能を容易に実現することができる。
【００３２】
この場合、上記分岐元装置は、上記分岐手段により出力された複数の光信号の１つを入力する第１のポートと、当該分岐手段により出力された複数の光信号の他の１つを入力する第２のポートと、上記第１の分岐先装置と接続された第３のポートと、上記第２の分岐先装置と接続された第４のポートと、を含む複数のポートを有し且つ当該複数のポートのうちの任意の２つのポートを接続可能に構成された接続切替手段を備えることが好適である。
【００３３】
これによれば、接続する２つのポートの組み合わせを変更することにより、経路を容易に設定することができる。
【００３４】
この場合、上記接続切替手段は、クロスコネクト装置であることが好適である。
【００３５】
また、本発明の他の形態である光伝送方法は、複数の異なる波長のそれぞれにて光信号を送受信することにより、複数の光信号を同時に送受信可能に構成された伝送装置を複数含む光伝送システムに適用される。
【００３６】
更に、上記伝送装置は、ある波長にて受信した光信号を、当該波長にて送信するように構成される。
また、上記複数の伝送装置は、上記伝送装置としての伝送元装置と、上記伝送装置としての伝送先装置と、上記伝送装置としての分岐元装置と、上記伝送装置としての第１の分岐先装置と、上記伝送装置としての第２の分岐先装置と、を含む。
【００３７】
加えて、上記光伝送方法は、
上記分岐元装置が、所定の伝送用波長にて受信した光信号を、上記第１の分岐先装置及び上記第２の分岐先装置のそれぞれへ送信する分岐送信工程を含む工程であって、上記伝送元装置と上記分岐元装置とを結ぶ重複部、及び、当該分岐元装置と上記伝送先装置とを上記第１の分岐先装置を経由することにより結ぶ第１の分岐部からなる第１の経路と、当該重複部、及び、当該分岐元装置と当該伝送先装置とを上記第２の分岐先装置を経由することにより結ぶ第２の分岐部からなる第２の経路と、を含む複数の経路のそれぞれを経由させて、当該伝送元装置から当該伝送先装置へ上記伝送用波長にて光信号を伝送する工程である光信号伝送工程と、
上記伝送元装置が送信した光信号と、上記伝送先装置が受信した光信号と、が一致している程度を表す回線品質を上記経路毎に推定する回線品質推定工程と、
を含む。
【００３８】
この場合、上記光伝送方法は、
上記推定された回線品質に基づいて、上記複数の経路の中から１つの経路を選択する経路選択工程と、
上記伝送先装置が、上記選択された経路を経由して伝送された光信号を、上記伝送元装置から受信した光信号として用いる選択光信号使用工程と、
を含むことが好適である。
【００３９】
この場合、上記分岐送信工程は、上記分岐元装置が、上記受信した光信号を分岐することにより当該受信した光信号と同一の複数の当該光信号を生成し、且つ、当該生成された複数の光信号の１つを上記第１の分岐先装置へ送信するとともに、当該生成された複数の光信号の他の１つを上記第２の分岐先装置へ送信するように構成されることが好適である。
【００４０】
また、本発明の他の形態である伝送装置は、
複数の異なる波長のそれぞれにて光信号を送受信することにより、複数の光信号を同時に送受信可能に構成されるとともに、ある波長にて受信した光信号を、当該波長にて送信するように構成され、
所定の伝送用波長にて受信した光信号を、第１の分岐先装置及び第２の分岐先装置のそれぞれへ送信するように構成される。
【００４１】
この場合、上記伝送装置は、
上記受信した光信号を分岐することにより当該受信した光信号と同一の複数の当該光信号を出力する分岐手段を備え、当該出力された複数の光信号の１つを上記第１の分岐先装置へ送信するとともに、当該出力された複数の光信号の他の１つを上記第２の分岐先装置へ送信するように構成されることが好適である。
【００４２】
また、本発明の他の形態であるプログラムは、
複数の異なる波長のそれぞれにて光信号を送受信することにより、複数の光信号を同時に送受信可能に構成されるとともに、ある波長にて受信した光信号を、当該波長にて送信するように構成された伝送装置に、
所定の伝送用波長にて受信した光信号を、第１の分岐先装置及び第２の分岐先装置のそれぞれへ送信する分岐送信手段を実現させるためのプログラムである。
【００４３】
この場合、上記分岐送信手段は、
上記受信した光信号を分岐することにより当該受信した光信号と同一の複数の当該光信号を生成し、且つ、当該生成された複数の光信号の１つを上記第１の分岐先装置へ送信するとともに、当該生成された複数の光信号の他の１つを上記第２の分岐先装置へ送信するように構成されることが好適である。
【００４４】
上述した構成を有する、光伝送方法、伝送装置、又は、プログラム、の発明であっても、上記光伝送システムと同様の作用を有するために、上述した本発明の目的を達成することができる。
【００４５】
以下、本発明に係る、光伝送システム、光伝送方法、伝送装置、及び、プログラム、の実施形態について図１〜図７を参照しながら説明する。
【００４６】
＜実施形態＞
図１に示したように、実施形態に係る光伝送システム１は、複数（本例では、９つ）の伝送装置１１〜１９を含む。
【００４７】
伝送装置１１（伝送装置＃１）と伝送装置１２（伝送装置＃２）とは、光ファイバケーブルＬ１を介して接続されている。伝送装置１２と伝送装置１３（伝送装置＃３）とは、光ファイバケーブルＬ２を介して接続されている。伝送装置１１と伝送装置１４（伝送装置＃４）とは、光ファイバケーブルＬ３を介して接続されている。
【００４８】
伝送装置１２と伝送装置１５（伝送装置＃５）とは、光ファイバケーブルＬ４を介して接続されている。伝送装置１３と伝送装置１６（伝送装置＃６）とは、光ファイバケーブルＬ５を介して接続されている。伝送装置１４と伝送装置１５とは、光ファイバケーブルＬ６を介して接続されている。
【００４９】
伝送装置１５と伝送装置１６とは、光ファイバケーブルＬ７を介して接続されている。伝送装置１４と伝送装置１７（伝送装置＃７）とは、光ファイバケーブルＬ８を介して接続されている。伝送装置１５と伝送装置１８（伝送装置＃８）とは、光ファイバケーブルＬ９を介して接続されている。
【００５０】
伝送装置１５と伝送装置１９（伝送装置＃９）とは、光ファイバケーブルＬ１０を介して接続されている。伝送装置１６と伝送装置１９とは、光ファイバケーブルＬ１１を介して接続されている。伝送装置１７と伝送装置１８とは、光ファイバケーブルＬ１２を介して接続されている。伝送装置１８と伝送装置１９とは、光ファイバケーブルＬ１３を介して接続されている。
【００５１】
光伝送システム１は、１つの伝送装置（伝送元装置）から他の１つの伝送装置（伝送先装置）へ、伝送元装置及び伝送先装置以外の伝送装置を経由させて、伝送元装置及び伝送先装置の組み合わせに固有の伝送用波長にて光信号を伝送する。更に、光伝送システム１は、伝送元装置及び伝送先装置の複数の組み合わせのそれぞれに対する光信号の伝送を、同時に（並行して）行う。即ち、この光伝送システム１は、波長分割多重（ＷＤＭ；Ｗａｖｅｌｅｎｇｔｈ  Ｄｉｖｉｓｉｏｎ  Ｍｕｌｔｉｐｌｅｘｉｎｇ）方式を用いて光信号を伝送する。
【００５２】
本例では、光伝送システム１は、伝送装置１１から伝送装置１９へ、伝送用波長λ１にて光信号を伝送する。また、光伝送システム１は、伝送装置１１から伝送装置１８へ、伝送用波長λ２にて光信号を伝送する。ここで、伝送用波長λ１、及び、伝送用波長λ２は、互いに異なる波長である。
【００５３】
各伝送装置１１〜１９は、複数の異なる波長のそれぞれにて光信号を送受信することにより、複数の光信号を同時に送受信可能に構成される。各伝送装置１１〜１９は、ある波長にて受信した光信号を、当該波長にて送信するように構成される。
【００５４】
更に、伝送装置１１は、図２に示したように、送信部２１と、分岐部２２と、クロスコネクト装置２３と、を備える。
【００５５】
送信部２１は、伝送装置１１に接続された図示しない情報処理装置により出力されたデータを表す電気信号を受け付ける。送信部２１は、受け付けた電気信号に基づいて、その電気信号が表すデータの伝送先となる伝送装置（伝送先装置）に応じた伝送用波長にて光信号を生成する。送信部２１は、生成した光信号を出力する。
【００５６】
分岐部２２は、光カプラ（光スプリッタ）である。分岐部２２は、複数（本例では、３つ）のポート２２ａ，２２ｂ，２２ｃを備える。ポート２２ａは、送信部２１と接続されている。分岐部２２は、送信部２１により出力された光信号をポート２２ａを介して入力する。分岐部２２は、入力された光信号を分岐することにより、その光信号と同一の光信号をポート２２ｂ及びポート２２ｃのそれぞれへ出力する。即ち、分岐部２２は、入力された光信号を分岐することにより、その光信号と同一の複数の光信号を生成する、と言うことができる。
【００５７】
クロスコネクト装置２３は、複数（本例では、６つ）のポート２３ａ〜２３ｆを備える。クロスコネクト装置２３は、入力される光信号の波長毎に、複数のポート２３ａ〜２３ｆのうちの任意の２つのポートを接続可能に構成されている。ポート２３ａは、分岐部２２のポート２２ｂと接続されている。ポート２３ｄは、伝送装置１２と接続されている。ポート２３ｅは、伝送装置１４と接続されている。
【００５８】
本例では、クロスコネクト装置２３は、伝送用波長λ１に対して、ポート２３ａとポート２３ｄとを接続している。即ち、クロスコネクト装置２３は、伝送用波長λ１の光信号がポート２３ａを介して入力された場合、その光信号をポート２３ｄへ出力する。また、クロスコネクト装置２３は、伝送用波長λ２に対して、ポート２３ａとポート２３ｅとを接続している。即ち、クロスコネクト装置２３は、伝送用波長λ２の光信号がポート２３ａを介して入力された場合、その光信号をポート２３ｅへ出力する。
【００５９】
また、伝送装置１２は、図３に示したように、分岐部（分岐手段）３１と、クロスコネクト装置（接続切替手段）３２と、を備える。なお、分岐部３１及びクロスコネクト装置３２は、分岐送信手段を構成している。
【００６０】
分岐部３１は、分岐部２２と同様の構成を有する。具体的には、分岐部３１は、複数（本例では、３つ）のポート３１ａ，３１ｂ，３１ｃを備える。ポート３１ａは、伝送装置１１と接続されている。分岐部３１は、伝送装置１１により出力された光信号をポート３１ａを介して入力する。分岐部３１は、入力された光信号を分岐することにより、その光信号と同一の光信号をポート３１ｂ及びポート３１ｃのそれぞれへ出力する。
【００６１】
クロスコネクト装置３２は、クロスコネクト装置２３と同様の構成を有する。具体的には、クロスコネクト装置３２は、複数（本例では、６つ）のポート３２ａ〜３２ｆを備える。
【００６２】
ポート３２ａは、分岐部３１のポート３１ｂと接続されている。また、ポート３２ｂは、分岐部３１のポート３１ｃと接続されている。即ち、ポート３２ａは、分岐部３１により出力された複数の光信号の１つを入力する第１のポートを構成し、ポート３２ｂは、分岐部３１により出力された複数の光信号の他の１つを入力する第２のポートを構成している。
【００６３】
また、ポート３２ｄは、伝送装置１３（第１の分岐先装置）と接続されている。ポート３２ｅは、伝送装置１５（第２の分岐先装置）と接続されている。即ち、ポート３２ｄは、第１の分岐先装置と接続された第３のポートを構成し、ポート３２ｅは、第２の分岐先装置と接続された第４のポートを構成している。
【００６４】
本例では、クロスコネクト装置３２は、伝送用波長λ１に対して、ポート３２ａとポート３２ｄとを接続するとともに、ポート３２ｂとポート３２ｅとを接続している。即ち、クロスコネクト装置３２は、伝送用波長λ１の光信号がポート３２ａを介して入力された場合、その光信号をポート３２ｄへ出力する。更に、クロスコネクト装置３２は、伝送用波長λ１の光信号がポート３２ｂを介して入力された場合、その光信号をポート３２ｅへ出力する。
【００６５】
このような構成により、クロスコネクト装置３２は、分岐部３１により出力された複数の光信号の１つを第１の分岐先装置としての伝送装置１３へ送信するとともに、当該出力された複数の光信号の他の１つを第２の分岐先装置としての伝送装置１５へ送信する。
【００６６】
このようにして、伝送装置１２は、伝送用波長λ１にて受信した光信号を、伝送装置１３（第１の分岐先装置）及び伝送装置１５（第２の分岐先装置）のそれぞれへ送信する分岐元装置を構成している。
【００６７】
なお、伝送装置１３〜伝送装置１８も、伝送装置１２と同様の構成を有する。具体的には、伝送装置１３は、伝送用波長λ１の光信号が入力された場合、その光信号を伝送装置１６へ出力する。また、伝送装置１５は、伝送用波長λ１の光信号が入力された場合、その光信号を伝送装置１８及び伝送装置１９のそれぞれへ出力する。更に、伝送装置１６は、伝送用波長λ１の光信号が入力された場合、その光信号を伝送装置１９へ出力する。また、伝送装置１８は、伝送用波長λ１の光信号が入力された場合、その光信号を伝送装置１９へ出力する。
【００６８】
このような構成により、図４に示したように、光伝送システム１は、伝送装置１１から伝送装置１９へ、伝送用波長λ１にて光信号を伝送するために光信号が経由する複数（本例では、３つ）の経路Ｐ１〜Ｐ３を設定している。
【００６９】
経路Ｐ１は、伝送装置１１（伝送元装置）と伝送装置１２（分岐元装置）とを結ぶ重複部と、伝送装置１２と伝送装置１９（伝送先装置）とを、伝送装置１３（第１の分岐先装置）を経由することにより結ぶ第１の分岐部と、からなる。また、経路Ｐ２は、伝送装置１１と伝送装置１２とを結ぶ重複部と、伝送装置１２と伝送装置１９とを、伝送装置１５（第２の分岐先装置）を経由することにより結ぶ第２の分岐部と、からなる。また、経路Ｐ３は、伝送装置１１と伝送装置１２とを結ぶ重複部と、伝送装置１２と伝送装置１９とを、伝送装置１５（第２の分岐先装置）及び伝送装置１８を経由することにより結ぶ第３の分岐部と、からなる。
【００７０】
即ち、光伝送システム１は、複数の経路Ｐ１〜Ｐ３のそれぞれを経由させて、伝送元装置としての伝送装置１１から伝送先装置としての伝送装置１９へ伝送用波長λ１にて光信号を伝送する光信号伝送手段を備えている、と言うことができる。
【００７１】
また、伝送装置１９は、図５に示したように、クロスコネクト装置４１と、受信部４２と、回線品質推定部（回線品質推定手段）４３と、経路選択部（経路選択手段）４４と、を備える。
【００７２】
クロスコネクト装置４１は、クロスコネクト装置２３と同様の構成を有する。具体的には、クロスコネクト装置４１は、複数（本例では、６つ）のポート４１ａ〜４１ｆを備える。
【００７３】
ポート４１ａは、伝送装置１５と接続されている。また、ポート４１ｂは、伝送装置１６と接続されている。更に、ポート４１ｃは、伝送装置１８と接続されている。加えて、ポート４１ｄ〜４１ｆのそれぞれは、受信部４２と接続されている。
【００７４】
本例では、クロスコネクト装置４１は、伝送用波長λ１に対して、ポート４１ａとポート４１ｄとを接続するとともに、ポート４１ｂとポート４１ｅとを接続し、且つ、ポート４１ｃとポート４１ｆとを接続している。
【００７５】
即ち、クロスコネクト装置４１は、伝送用波長λ１の光信号がポート４１ａを介して入力された場合、その光信号をポート４１ｄへ出力する。更に、クロスコネクト装置４１は、伝送用波長λ１の光信号がポート４１ｂを介して入力された場合、その光信号をポート４１ｅへ出力する。加えて、クロスコネクト装置４１は、伝送用波長λ１の光信号がポート４１ｃを介して入力された場合、その光信号をポート４１ｆへ出力する。
【００７６】
受信部４２は、ポート４１ｄ〜４１ｆのそれぞれにより出力された光信号を受け付ける。受信部４２は、各ポート４１ｄ〜４１ｆを介して受け付けた光信号に基づいて電気信号を生成する。
【００７７】
回線品質推定部４３は、受信部４２により受け付けられた光信号、及び／又は、受信部４２により生成された電気信号に基づいて、回線品質を経路毎に推定する。回線品質は、伝送装置１１が送信した光信号と、伝送装置１９により受信された光信号と、が一致している程度を表す値である。
【００７８】
例えば、回線品質は、誤り率、伝送損失、又は、信号対雑音比等である。誤り率は、受信されたデータの総量に対する、誤って受信されたデータの量の比を表す値である。誤り率は、誤り検出又は誤り訂正（例えば、前方誤り訂正（ＦＥＣ；Ｆｏｒｗａｒｄ  Ｅｒｒｏｒ  Ｃｏｒｒｅｃｔｉｏｎ））を行うことにより取得される。また、伝送損失は、光信号が減衰する程度を表す値である。また、信号対雑音比は、雑音の振幅（又は、電力）に対する信号の振幅（又は、電力）の比を表す値である。
【００７９】
経路選択部４４は、回線品質推定部４３により推定された経路毎の回線品質に基づいて、複数の経路Ｐ１〜Ｐ３の中から１つの経路を選択する。本例では、経路選択部４４は、回線品質が最も高い経路を選択する。
【００８０】
受信部４２は、経路選択部４４により選択された経路に応じたポートを介して受け付けた光信号に基づいて生成された電気信号を、伝送装置１１から受信した光信号として用いる。具体的には、受信部４２は、伝送装置１９に接続された図示しない情報処理装置へその電気信号を出力する。
【００８１】
次に、上述した光伝送システム１の作動について図４を参照しながら具体的に述べる。
先ず、伝送装置１１は、伝送装置１９へ伝送するための光信号を伝送用波長λ１にて伝送装置１２へ送信する。次いで、伝送装置１２は、伝送装置１１から受信した光信号を伝送用波長λ１にて伝送装置１３及び伝送装置１５のそれぞれへ送信する（分岐送信工程）。
【００８２】
伝送装置１３は、伝送装置１２から受信した光信号を伝送用波長λ１にて伝送装置１６へ送信する。伝送装置１６は、伝送装置１３から受信した光信号を伝送用波長λ１にて伝送装置１９へ送信する。
【００８３】
また、伝送装置１５は、伝送装置１２から受信した光信号を伝送用波長λ１にて伝送装置１８及び伝送装置１９のそれぞれへ送信する。伝送装置１８は、伝送装置１５から受信した光信号を伝送用波長λ１にて伝送装置１９へ送信する。
【００８４】
これにより、伝送装置１９は、伝送装置１１により送信された光信号であって、複数の経路Ｐ１〜Ｐ３のそれぞれを経由して伝送された光信号を受信する（光信号伝送工程）。そして、伝送装置１９は、受信した光信号に基づいて、回線品質を経路毎に推定する（回線品質推定工程）。
【００８５】
次いで、伝送装置１９は、推定された経路毎の回線品質に基づいて、複数の経路Ｐ１〜Ｐ３の中から回線品質が最も高い経路を選択する（経路選択工程）。いま、経路Ｐ１の回線品質が最も高い場合を想定して説明を続ける。この場合、伝送装置１９は、経路Ｐ１を選択する。
【００８６】
そして、伝送装置１９は、選択された経路Ｐ１に応じたポート４１ｂを介して受け付けた光信号に基づいて生成された電気信号を、伝送装置１９に接続された図示しない情報処理装置へ出力する（選択光信号使用工程）。
【００８７】
その後、経路Ｐ１の回線品質が他の経路Ｐ２，Ｐ３の回線品質よりも低くなることにより、経路Ｐ２の回線品質が最も高くなった場合を想定して説明を続ける。この場合、伝送装置１９は、経路Ｐ１に代えて経路Ｐ２を選択する。
【００８８】
そして、伝送装置１９は、選択された経路Ｐ２に応じたポート４１ａを介して受け付けた光信号に基づいて生成された電気信号を、伝送装置１９に接続された図示しない情報処理装置へ出力する。
【００８９】
以上、説明したように、本発明による光伝送システムの実施形態によれば、一部が重複する複数の経路Ｐ１〜Ｐ３のそれぞれを経由させて伝送元装置（伝送装置１１）から伝送先装置（伝送装置１９）へ１つの波長（伝送用波長λ１）にて光信号を伝送することができる。この結果、複数の経路を設定する自由度が低下することを防止しながら、高い精度にて回線品質を推定することができる。また、上記構成によれば、伝送元装置及び伝送先装置と異なる２つの伝送装置間で光信号を伝送するために使用可能な波長の数が減少することを防止することもできる。
【００９０】
更に、上記実施形態によれば、伝送先装置（伝送装置１９）は、推定された回線品質に基づいて選択された経路を経由して伝送された光信号を、伝送元装置（伝送装置１１）から受信した光信号として用いるように構成されている。これによれば、伝送先装置は、適切に選択された経路を経由して伝送された光信号を、伝送元装置から受信した光信号として用いることができる。この結果、伝送元装置から伝送先装置へ確実に情報を伝達することができる。
【００９１】
加えて、上記実施形態によれば、伝送装置１２は、受信した光信号を分岐することにより当該受信した光信号と同一の複数の光信号を出力する分岐部３１を備える。これによれば、分岐元装置としての伝送装置１２が第１の分岐先装置（伝送装置１３）及び第２の分岐先装置（伝送装置１５）のそれぞれへ光信号を送信する機能を容易に実現することができる。
【００９２】
更に、上記実施形態によれば、各伝送装置１１〜１９は、複数のポートを有し且つ当該複数のポートのうちの任意の２つのポートを接続可能に構成されたクロスコネクト装置を備える。これによれば、光伝送システム１は、接続する２つのポートの組み合わせを変更することにより、経路を容易に設定することができる。
【００９３】
なお、本発明は上記実施形態に限定されることはなく、本発明の範囲内において種々の変形例を採用することができる。例えば、上記実施形態においては、クロスコネクト装置と分岐部とは互いに独立していたが、クロスコネクト装置が分岐部を含んでいてもよい。
【００９４】
また、上記実施形態において、クロスコネクト装置は、入力した光信号を電気信号に変換することなく出力するように構成されていたが、入力した光信号を一旦、電気信号に変換し、変換後の電気信号に基づいて光信号を生成し、生成した光信号を出力するように構成されていてもよい。
【００９５】
また、上記実施形態の変形例において、各伝送装置１１〜１９が受信部４２、回線品質推定部４３及び経路選択部４４を備えていてもよい。また、上記実施形態の変形例において、伝送装置以外の装置（例えば、情報処理装置等）が回線品質推定部４３及び経路選択部４４を備えていてもよい。
【００９６】
また、上記実施形態において、光ファイバケーブルを介して接続された２つの伝送装置（例えば、伝送装置１１及び伝送装置１２、伝送装置１２及び伝送装置１５、若しくは、伝送装置１２及び伝送装置１３等）は、更に、他の伝送装置及び光ファイバケーブルを介して接続されていてもよい。
【００９７】
なお、上記実施形態において、光伝送システム１は、伝送装置１１から伝送装置１９へ伝送用波長λ１にて光信号を伝送するための経路を複数設定していたが、伝送装置１１から伝送装置１８へ伝送用波長λ２にて光信号を伝送するための経路も複数設定していることが好適である。即ち、光伝送システム１は、伝送元装置及び伝送先装置の任意の組み合わせに対して複数の経路を設定することが好適である。
【００９８】
また、上記実施形態において、伝送装置１９は、推定された回線品質が最も高い経路を選択するように構成されていたが、推定された回線品質が予め設定された閾値よりも低くなった場合に経路を変更するように構成されていてもよい。
【００９９】
また、図６に示したように、上記実施形態の変形例に係る光伝送システム１００は、複数の異なる波長のそれぞれにて光信号を送受信することにより、複数の光信号を同時に送受信可能に構成された複数の伝送装置１１０〜１５０を含む。
【０１００】
各伝送装置１１０〜１５０は、ある波長にて受信した光信号を、当該波長にて送信するように構成される。
複数の伝送装置１１０〜１５０は、伝送装置としての伝送元装置１１０と、伝送装置としての伝送先装置１５０と、伝送装置としての分岐元装置１２０と、伝送装置としての第１の分岐先装置１３０と、伝送装置としての第２の分岐先装置１４０と、を含む。
【０１０１】
分岐元装置１２０は、所定の伝送用波長にて受信した光信号を、第１の分岐先装置１３０及び第２の分岐先装置１４０のそれぞれへ送信するように構成される。
【０１０２】
光伝送システム１００の機能は、図７に示したように、光信号伝送部（光信号伝送手段）１６１と、回線品質推定部（回線品質推定手段）１６２と、を含む。
【０１０３】
光信号伝送部１６１は、伝送元装置１１０と分岐元装置１２０とを結ぶ重複部、及び、分岐元装置１２０と伝送先装置１５０とを第１の分岐先装置１３０を経由することにより結ぶ第１の分岐部からなる第１の経路と、当該重複部、及び、分岐元装置１２０と伝送先装置１５０とを第２の分岐先装置１４０を経由することにより結ぶ第２の分岐部からなる第２の経路と、を含む複数の経路のそれぞれを経由させて、伝送元装置１１０から伝送先装置１５０へ上記伝送用波長にて光信号を伝送する。
【０１０４】
回線品質推定部１６２は、伝送元装置１１０が送信した光信号と、伝送先装置１５０が受信した光信号と、が一致している程度を表す回線品質を経路毎に推定する。
【０１０５】
このように構成された光伝送システム１００によっても、上記実施形態と同様に、複数の経路を設定する自由度が低下することを防止しながら、高い精度にて回線品質を推定することができる。
【０１０６】
なお、上記実施形態において伝送装置１１〜１９の各機能は、回路等のハードウェアにより実現されていた。ところで、各伝送装置１１〜１９は、処理装置と、プログラム（ソフトウェア）を記憶する記憶装置と、を備えるとともに、処理装置がそのプログラムを実行することにより、各機能を実現するように構成されていてもよい。
【０１０７】
また、上記実施形態の他の変形例として、上述した実施形態及び変形例の任意の組み合わせが採用されてもよい。
【産業上の利用可能性】
【０１０８】
本発明は、光信号を送受信する伝送装置を複数含むとともに、１つの伝送装置から他の伝送装置へ光信号を伝送する光伝送システム等に適用可能である。
【符号の説明】
【０１０９】
Ｌ１〜Ｌ１３  光ファイバケーブル
１１〜１９    伝送装置
２１    送信部
２２    分岐部
２２ａ〜２２ｃ  ポート
２３    クロスコネクト装置
２３ａ〜２３ｆ  ポート
３１    分岐部
３１ａ〜３１ｃ  ポート
３２    クロスコネクト装置
３２ａ〜３２ｆ  ポート
４１    クロスコネクト装置
４１ａ〜４１ｆ  ポート
４２    受信部
４３    回線品質推定部
４４    経路選択部
１００  光伝送システム
１１０〜１５０  伝送装置
１６１  光信号伝送部
１６２  回線品質推定部
【図１】
2010219594.tif 000003
【図２】
2010219594.tif 000004
【図３】
2010219594.tif 000005
【図４】
2010219594.tif 000006
【図５】
2010219594.tif 000007
【図６】
2010219594.tif 000008
【図７】
2010219594.tif 000009